(57)【要約】【課題】スカートガードパネルの内側に収容される機器、特に、スカートガードパネルの先端部の内側に収容されている機器を保守点検する場合の作業性を向上させる。【解決手段】乗客コンベアにおいて、循環移動する複数の踏み部２と、この踏み部２の進行方向に沿った両側に位置する一対の欄干３ａ，３ｂと、この欄干３ａ，３ｂのうち、一方の欄干３ａの下部に取付けられ、各種操作が可能な操作盤８が着脱可能に取付けられる操作盤取付部９が側面部に形成された第１スカートガードパネル５ａと、一対の欄干３ａ，３ｂのうち、他方の欄干３ｂの下部に取付けられ、側面取付部１２が側面部に形成された第２スカートガードパネル５ｂと、側面取付部１２に着脱可能に取付けられる側面用蓋体１３と、を備える。【選択図】図１
2007320681.tif 000002
【特許請求の範囲】
【請求項１】
循環移動する複数の踏み部と、
この踏み部の進行方向に沿った両側に位置する一対の欄干と、
この欄干のうち、一方の前記欄干の下部に取付けられ、各種操作が可能な操作盤が着脱可能に取付けられる操作盤取付部が側面部に形成された第１スカートガードパネルと、
一対の前記欄干のうち、他方の前記欄干の下部に取付けられ、側面取付部が側面部に形成された第２スカートガードパネルと、
前記側面取付部に着脱可能に取付けられる側面用蓋体と、
を備えることを特徴とする乗客コンベア。
【請求項２】
前記操作盤取付部と前記側面取付部とが同じ形状に形成され、前記第１スカートガードパネルと前記第２スカートガードパネルとが面対称となる形状に形成されていることを特徴とする請求項１記載の乗客コンベア。
【請求項３】
前記第１スカートガードパネルと前記第２スカートガードパネルとのうちの一方の正面部に運転状態表示盤が着脱可能に取付けられる表示盤取付部が形成され、前記第１スカートガードパネルと前記第２スカートガードパネルとのうちの他方の正面部に正面取付部が形成され、前記正面取付部に着脱可能に取付けられる正面用蓋体を備えることを特徴とする請求項１又は２記載の乗客コンベア。
【請求項４】
前記表示盤取付部と前記正面取付部とが同じ形状に形成され、前記第１スカートガードパネルと前記第２スカートガードパネルとが面対称となる形状に形成されていることを特徴とする請求項３記載の乗客コンベア。
【発明の詳細な説明】
【技術分野】
【０００１】
本発明は、乗客コンベアに係り、特に、スカートガードパネルを備えた乗客コンベアに関する。
【背景技術】
【０００２】
エスカレータや動く歩道等の乗客コンベアは、循環移動する踏み部の進行方向の両側に位置するスカートガードパネルを備えている。このようなスカートガードパネルにおける乗客コンベアの乗降口側の側面部には、例えば、下記特許文献１に記載されているように、乗客コンベアの運転状態を操作する操作盤が取付けられている。
【特許文献１】特開２００４−２０３６１７号公報
【発明の開示】
【発明が解決しようとする課題】
【０００３】
しかしながら、前述の乗客コンベアにおいては、以下の点について配慮がなされていなかった。
【０００４】
スカートガードパネルの内側には、各種の機器が収納されている。例えば、操作盤に設けられている操作スイッチに接続される機器や、踏み部を照明する足元照明灯の配電機器等である。
【０００５】
スカートガードパネルは踏み部の進行方向に沿った両側に設けられており、一方のスカートガードパネルには操作盤を取付けるための操作盤取付穴が形成され、他方のスカートガードパネルにはそのような取付穴は形成されていない。
【０００６】
また、スカートガードパネルの多くは、踏み部の移動方向の全長に亘って一部材で形成されているのではなく、踏み部の移動方向に沿って複数の部材に分割して形成され、それらの各部材を連結して構成されている。例えば、乗客コンベアの乗口側と降口側とには手摺ベルトが出入するインレット部が形成された先端部スカートパネルが配置され、乗口側と降口側との間には板状に形成された中間部スカートパネルが配置されている。中間部スカートパネルは、１枚の場合と複数枚に分割されている場合とがある。操作盤取付穴は先端部スカートパネルに形成されている。
【０００７】
スカートガードパネルにおける先端部スカートパネルの内側に位置する機器を保守点検する場合には、操作盤が取付けられている側のスカートガードパネルでは、操作盤を外し、操作盤が取付けられていた操作盤取付穴から先端部スカートパネルの内側を覗き込み、及び、操作盤取付穴から工具を差し込んで作業を行うことが可能である。しかし、操作盤が取付けられていない側のスカートガードパネルでは、先端部スカートパネルに連続する中間スカートパネルを取外し、中間スカートパネルを取外すことにより解放される箇所から先端部スカートパネルの内側を覗き込むとともに工具を差し込んで作業を行っている。
【０００８】
なお、先端部スカートパネルにはインレット部が形成されてこのインレット部に循環移動する手摺ベルトが配置されており、先端部スカートパネルを着脱することは手間がかかる。このため、先端部スカートパネルの内側に位置する機器を保守点検する場合に、先端部スカートパネルを取外すということを行わないことが一般的である。
【０００９】
また、先端部スカートパネルを製造する場合について考えると、乗客コンベアの仕様により、例えば、操作盤を乗口側と降口側とで同じ側に設置しなければならない等の制約がある場合には、一台の乗客コンベアにおいて、操作盤取付穴を備える２種類の先端部スカートパネルと、操作盤取付穴を有しない２種類の先端部スカートパネルとの、合計４種類の先端部スカートパネルを製造しなければならない。
【００１０】
本発明はこのような課題を解決するためになされたもので、その目的は、スカートガードパネルの内側に収容される機器、特に、スカートガードパネルの一部である先端側スカートガードパネルの内側に収容されている機器を保守点検する場合の作業性を向上させることができる乗客コンベアを提供することである。
【課題を解決するための手段】
【００１１】
本発明の実施の形態に係る第１の特徴は、乗客コンベアにおいて、循環移動する複数の踏み部と、この踏み部の進行方向に沿った両側に位置する一対の欄干と、この欄干のうち、一方の前記欄干の下部に取付けられ、各種操作が可能な操作盤が着脱可能に取付けられる操作盤取付部が側面部に形成された第１スカートガードパネルと、一対の前記欄干のうち、他方の前記欄干の下部に取付けられ、側面取付部が側面部に形成された第２スカートガードパネルと、前記側面取付部に着脱可能に取付けられる側面用蓋体と、を備えることである。
【発明の効果】
【００１２】
本発明によれば、第１スカートガードパネル内及び第２スカートガードパネル内に収容されている機器の保守点検を、操作盤取付部と側面取付部とを利用して手間をかけずに容易に行うことができる。
【発明を実施するための最良の形態】
【００１３】
以下、本発明の実施の形態を図面を用いて説明する。
【００１４】
（第１の実施の形態）
本発明の第１の実施の形態に係る乗客コンベアであるエスカレータ１は、無端状のコンベアチェーン（図示せず）に連結され、エスカレータ１が設置される設置構造物の上階と下階との間を循環移動する複数の踏み部である踏段２を有している。踏段２の進行方向に沿った両側には一対の欄干３ａ，３ｂが設けられ、欄干３ａ，３ｂの周囲には踏段２と同期して循環移動する手摺ベルト４が掛け渡されている。
【００１５】
一方の欄干３ａの下部には第１スカートガードパネル５が取付けられ、他方の欄干３ｂの下部には第２スカートガードパネル６が取付けられている。第１スカートガードパネル５と第２スカートガードパネル６とは、踏段２の側部との間に僅かな隙間をもって配置され、エスカレータ１の利用者の足先や荷物が踏段２に巻き込まれることを防止している。
【００１６】
第１スカートガードパネル５は、下階側の先端部に位置する先端部スカートパネル５ａと、上階側の先端部に位置する先端部スカートパネル（図示せず）と、下階側の先端部スカートパネル５ａと上階側の先端部スカートパネルとの間に位置する中間部スカートパネル５ｂとを連結して形成されている。下階側の先端部スカートパネル５ａと上階側の先端部スカートパネルとには、循環移動する手摺ベルト４が出入りするインレット部７が形成されている。中間部スカートパネル５ｂは板状に形成されている。中間部スカートパネル５ｂは、一部材でもよく、又は、複数に分割されていてもよい。
【００１７】
第２スカートガードパネル６は、下階側の先端部に位置する先端部スカートパネル６ａと、上階側の先端部に位置する先端部スカートパネル（図示せず）と、下階側の先端部スカートパネル５ａと上階側の先端部スカートパネルとの間に位置する中間部スカートパネル６ｂとを連結して形成されている。下階側の先端部スカートパネル６ａと上階側の先端部スカートパネルとには、循環移動する手摺ベルト４が出入りするインレット部７が形成されている。中間部スカートパネル６ｂは板状に形成されている。中間部スカートパネル６ｂは、一部材でもよく、又は、複数に分割されていてもよい。
【００１８】
先端部スカートパネル５ａには、操作盤８が着脱可能に取付けられる操作盤取付部である操作盤取付穴９が形成されている。操作盤取付穴９は、先端部スカートパネル５ａを欄干３ａの下部に取付けた場合にエスカレータ１の内側となる側面部に位置して形成されている。操作盤取付穴９は矩形状に形成され、操作盤取付穴９の四隅にはネジ穴１０が形成されている。操作盤取付穴９への操作盤８の取付けは、操作盤８に挿通させたネジ１１をネジ穴１０に螺合させることにより行われている。
【００１９】
先端部スカートパネル６ａには、側面取付部である側面取付穴１２が形成され、この側面取付穴１３には側面用蓋体１２が着脱可能に取付けられるている。側面取付穴１２は、先端部スカートパネル６ａを欄干３ｂに下部に取付けた場合にエスカレータ１の内側となる側面部に位置して形成されている。側面取付穴１２は矩形状に形成され、側面取付穴１２の四隅にはネジ穴１０が形成されている。側面用蓋体１３は樹脂により形成され、側面用蓋体１３の内側面の四隅には弾性を有する爪部１４が一体に形成されている。側面取付穴１２への側面用蓋体１３の取付けは、爪部１４をネジ穴１０に差し込み、爪部１４に形成されている返し部１４ａをネジ穴１０の奥側縁部に係合させることにより行われている。
【００２０】
操作盤取付穴９と側面取付穴１２とは同じ形状に形成され、先端部スカートパネル５ａと先端部スカートパネル６ａとが面対称となる形状に形成されている。
【００２１】
このような構成において、第１スカートガードパネル５の内側、及び、第２スカートガードパネルの内側には、特に、第１スカートガードパネル５の先端部スカートパネル５ａの内側、及び、第２スカートガードパネル６の先端部スカートパネル６ａの内側には、定期的に又は随時、保守点検する必要性のある機器が収容されている。
【００２２】
第１スカートガードパネル５の先端部スカートパネル５ａの内側に収容されている機器を保守点検する場合には、ネジ１１を外して操作盤取付穴９を閉止している操作盤８を取外し、図３に示すように操作盤取付穴９を開放する。そして、この操作盤取付穴９から先端部スカートパネル５ａの内側を覗き込み、及び、この操作盤取付穴９から工具を差し込んで保守点検作業を行う。この操作盤取付穴９が形成されていることにより、先端部スカートパネル５ａの内側に収容されている機器に対する保守点検を、手間をかけず容易に行うことができる。
【００２３】
第２スカートガードパネル６の先端部スカートパネル６ａの内側に収容されている機器を保守点検する場合には、側面取付穴１２を閉止している側面用蓋体１３を取外し、図５に示すように側面取付穴１２を開放する。そして、この側面取付穴１２から先端部スカートパネル５ａの内側を覗き込み、及び、この側面取付穴１２から工具を差し込んで保守点検作業を行う。この側面取付穴１２が形成されていることにより、先端部スカートパネル６ａの内側に収容されている機器に対する保守点検を、手間をかけず容易に行うことができる。なお、側面取付穴１２から側面用蓋体１３を取外す場合には、側面用蓋体１３と先端部スカートパネル６ａとの間にマイナスドライバー等の工具を差し込み、テコの原理で側面用蓋体１３を先端部スカートパネル６ａから離反する向きに付勢することにより、爪部１４をネジ穴１０から外すことができる。
【００２４】
操作盤取付穴９と側面取付穴１３とは同じ形状に形成され、先端部スカートパネル５ａと先端部スカートパネル６ａとが面対称となる形状に形成されている。このため、このような先端部スカートパネル５ａ，６ａを上階側と下階側とで使用する場合、エスカレータ１の仕様により、例えば、操作盤８を乗口側（下階側）と降口側（上階側）とで同じ側に設置しなければならない等の制約がある場合でも、一台のエスカレータ１において、２種類の先端部スカートパネル５ａ，６ａを２つずつ準備すればよい。これにより、スカートガードパネルに関する部品点数を減らすことができる。具体的には、図１及び図４において示す欄干３ｂの下階側で使用している先端部スカートパネル６ａを欄干３ａの上階側で使用し、側面取付穴１２に操作盤８を取付けることができる。また、図１及び図２において示す欄干３ａの下階側で使用している先端部スカートパネル５ａを欄干３ｂの上階側で使用し、操作盤取付穴９に側面用蓋体１２を取付けることができる。
【００２５】
なお、本実施の形態では、操作盤取付穴９と側面取付穴１２とを矩形状に形成し、及び、操作盤８と側面用蓋体１３とを矩形状に形成し、操作盤８と側面用蓋体１３とを取付けるためのネジ穴１０を形成した場合を例に挙げて説明したが、これらの形状に代えて、図７に示す形状を採用してもよい。具体的には、操作盤取付穴２１及び側板取付穴（図示せず）を円形に形成し、操作盤（図示せず）と側面用蓋体２２とを円形に形成し、操作盤取付穴２１及び側板取付穴の縁部に形成した係合片２３と、操作盤及び側面用蓋体２２に形成した係合片２４とを回転式に係合させる構造としてもよい。
【００２６】
（第２の実施の形態）
本発明の第２の実施の形態に係る乗客コンベアについて、図８及び図９に基づいて説明する。なお、第１の実施の形態において説明した構成要素と同じ構成要素には同じ符号を付け、重複する説明は省略する。
【００２７】
第２の実施の形態に係る乗客コンベアにおいては、第１の実施の形態で説明した構成に加え、第２スカートガードパネル６の先端部スカートパネル６ａの正面部であってインレット部７の下側に表示盤取付部である表示盤取付穴３１が形成され、この表示盤取付穴３１に運転状態表示盤３２が着脱可能に取付けられている。さらに、第１スカートガードパネル５の先端部スカートパネル５ａの正面部であってインレット部７の下側に正面取付部である正面取付穴３３が形成され、この正面取付穴３３に正面用蓋体３４が着脱可能に取付けられている。表示盤取付穴３１の四隅及び正面取付穴３３の四隅には、ネジ穴３５が形成されている。正面用蓋体３４は樹脂により形成され、正面用蓋体３４の内側面の四隅には弾性を有する爪部（図示せず）が一体に形成されている。
【００２８】
表示盤取付穴３１への運転状態表示盤３２の取付けは、運転状態表示盤３２に挿通させたネジをネジ穴３５に螺合させることにより行われている。正面取付穴３３への正面用蓋体３４の取付けは、爪部をネジ穴３５に差し込み、爪部に形成されている返し部をネジ穴３５の奥側縁部に係合させることにより行われている。
【００２９】
表示盤取付穴３１と正面取付穴３３とは同じ形状に形成され、先端部スカートパネル５ａと先端部スカートパネル６ａとが面対称となる形状に形成されている。
【００３０】
このような構成において、先端部スカートパネル５ａの内側に収容されている機器を保守点検する場合には、操作盤８を取外して開放した操作盤取付穴９と、正面用蓋体３４を取外して開放した正面取付穴３３とから先端部スカートパネル５ａの内側を覗き込み、及び、これらの操作盤取付穴９と正面取付穴３３とから工具を差し込んで保守点検作業を行う。したがって、これらの操作盤取付穴９と正面取付穴３３とが形成されていることにより、先端部スカートパネル５ａの内側に収容されている機器に対する保守点検を、手間をかけず容易に行うことができる。
【００３１】
先端部スカートパネル６ａの内側に収容されている機器を保守点検する場合には、側面用蓋体１３を取外して開放した側面取付穴１２と、運転状態表示盤３２を取外して開放した表示盤取付穴３１とから先端部部スカートパネル６ａの内側を覗き込み、及び、これらの側面取付穴１２と表示盤取付穴３１とから工具を差し込んで保守点検作業を行う。したがって、これらの側面取付穴１２と表示盤取付穴３１とが形成されていることにより、先端部スカートパネル６ａの内側に収容されている機器に対する保守点検を、手間をかけず容易に行うことができる。
【００３２】
表示盤取付穴３１と正面取付穴３３とは同じ形状に形成され、先端部スカートパネル５ａと先端部スカートパネル６ａとが面対称となる形状に形成されている。このため、このような先端部スカートパネル５ａ，６ａを上階側と下階側とで使用する場合、エスカレータ１の仕様により、例えば、運転状態表示盤３２を乗口側（下階側）と降口側（上階側）とで同じ側に設置しなければならない等の制約がある場合でも、一台のエスカレータ１において、２種類の先端部スカートパネル５ａ，６ａを２つずつ準備すればよい。これにより、スカートガードパネルに関する部品点数を減らすことができる。具体的には、図８において示す欄干３ｂの下階側で使用している先端部スカートパネル６ａを欄干３ａの上階側で使用し、表示盤取付穴３１に正面用蓋体３４を取付けることができる。また、図８及び図９において示す欄干３ａの下階側で使用している先端部スカートパネル５ａを欄干３ｂの上階側で使用し、正面取付穴３３に運転状態表示盤３４を取付けることができる。
【図面の簡単な説明】
【００３３】
【図１】本発明の第１の実施の形態に乗客コンベアであるエスカレータを示す正面図である。
【図２】第１スカートガードパネルを示す側面図である。
【図３】第１スカートガードパネルから操作盤を取外して操作盤取付穴を開放した状態を示す側面図である。
【図４】第２スカートガードパネルを示す側面図である。
【図５】第２スカートガードパネルから側面用蓋体を取外して側面取付穴を開放した状態を示す側面図である。
【図６】側面用蓋体を示す正面図と側面図とである。
【図７】第１の実施の形態における第１スカートガードパネルの変形例を示す斜視図である。
【図８】本発明の第２の実施の形態に係る乗客コンベアであるエスカレータを示す正面図である。
【図９】第１スカートガードパネルを示す斜視図である。
【符号の説明】
【００３４】
２      踏み部
３ａ，３ｂ  欄干
５ａ    第１スカートガードパネル
５ｂ    第２スカートガードパネル
８      操作盤
９      操作盤取付部
１２      側面取付部
１３      側面用蓋体
３１      表示盤取付部
３２      運転状態表示盤
３３      正面取付部
３４      正面用蓋体
【図１】
2007320681.tif 000003
【図２】
2007320681.tif 000004
【図３】
2007320681.tif 000005
【図４】
2007320681.tif 000006
【図５】
2007320681.tif 000007
【図６】
2007320681.tif 000008
【図７】
2007320681.tif 000009
【図８】
2007320681.tif 000010
【図９】
2007320681.tif 000011